(57)【要約】      （修正有）【課題】介護者、高齢者のボケ防止とリハビリで脳の活性化につながると云われている、手の指先運動で握力を鍛錬するための器具と、指先の押圧力及び支持力の鍛錬をするため器具を筋力の増強のみならず運動機能や脳神経機能の回復・向上を含めた総合的な健康増進効果を得ることができる介護用手指機能改善具を提供する。【解決手段】棒状又は指の入る形状の本体１を設け、その表面は柔らかい素材の毛又は布製２を設けて覆い、本体１の内部心材は弾力性のある素材で構成する。左右どちらの手でも本体１を握ることが可能であり、又、本体１の先端に赤色のボール４を設け指を挿入する目印とし、本体１を手で握った際に赤色のボール４が親指と人差し指の間になるようにし、他の指も同時に挿入できる構成にする。又、本体１全体を握ったときの手の形に合わせた曲線又は棒状にし、手で握ったり指先でつかんだりすることができ、つかんだ部分を押圧することができるように構成する。【選択図】図１
0003175279.tif 000002
【実用新案登録請求の範囲】
【請求項１】
本体１を設け、その表面は柔らかい素材の毛又は布製２を設けて覆い、心材は弾力性のある心材３構成され、左右どちらの手で握っても親指になる部分が判別できる様にボール４の色を変え、全体が握ったときの手の形に合わせカーブしており、手で握ったり指先でつかんだりすることができ、つかんだ部分を押圧することができるように形成されたことを特徴とする介護用手指機能改善具。
【請求項２】
上記心材がポリエチレンゲル又はシリコンゴム、又は硬度４０ないし６０の樹脂又はゴムにて形成されている請求項１記載の介護用手指機能改善具。
【請求項３】
手指のみならず足指にも使用できる請求項１又は２記載の介護用手指機能改善具。
【考案の詳細な説明】
【技術分野】
【０００１】  本考案は、介護者又は高齢者が健康のために行われる訓練用の手指機能改善具を手指で握って圧縮することによって握力向上と手指の機能改善を図る手指の握力訓練具に関する。
【背景技術】
【０００２】  従来は、乳幼児が手のひらで軽く握り指先運動する玩具や、介護者、高齢者が手で握って圧縮することによって握力向上を図る握力訓練具として、低硬度の樹脂素材からなるもの、樹脂発泡材料を球状にしたもの、バネ材を用いたもの、中空の弾性ボールを利用したもの、又は、健康改善等を目的として、くるみを用いたり、表面に複数の突起が形成されたゴム材からなる健康器具等を使って手指のツボを刺激している物等いろいろな健康器具が使用されている。
【先行技術文献】
【特許文献】
【０００３】
【特許文献１】特開２０１０−６３５６３号
【特許文献２】実用新案登録第３０９２９２３号
【考案の概要】
【考案が解決しようとする課題】
【０００４】  従来のくるみを用いる方法は単にツボの刺激だけを行うものであるので、握力の向上を図る場合は、別途違う器具などを用いなければならず、面倒であるという欠点があり、以上のような従来の欠点に鑑み、手指で握るのに弾力があり、握りやすい素材を手指で所定の力で握り、手指を押圧を繰り返すように構成することによって、単に手指の押圧に限らず、握力の向上にも資することができ、介護者又は高齢者が容易に何時でも、何処でも持ち運び手指の握力の練習を気軽に愛用することができる手指の握力の機能改善を目的とする。
【課題を解決するための手段】
【０００５】  介護者又は高齢者が、本体の表面は柔らかい毛又は布製、心材は弾力性のあるポリエチレンゲル、シリコンゴム、樹脂、ゴム製の手指機能改善具を５本の手指の指で挟みながら握り、又は開く動作を繰り返し、又、握りも強弱をつけて握る運動することにより手指の機能改善という問題点を解決している。【０００６】  本考案の介護用手指機能改善具は、指間はいつも隙間がない状態で、開くことができれば、手指先のマッサージになり、しびれにも良く、気持ち良い、又ボールの部分を手の平で握手すると腕全体に適度に刺激が走り、手、腕、全体が暖かくなる。又、柔らかい素材の物は、長い間、手指の中にあっても負担なく、そのまま放置しても、本人又は周りの物をきずつける事はない。
本考案は、以上の構造よりなる介護者又は高齢者用手指機能改善具であります。
【考案の効果】
【０００７】  本考案は、介護者又は、高齢者社会に於いて、脳の活性化は、重大視されている。指先運動することにより、手指の握力強化と脳の活性化に伴う、ボケ防止・ノイローゼ等の予防も兼ねている。健康のために行う手指の運動、手で握ったり指先でつかんだりすることができ、指先や掌にあるツボを効果的に押圧することができるとともに、リハビリ、握力の向上にも効果が期待できる。
【図面の簡単な説明】
【０００８】
【図１】介護用手指機能改善具Ａ
【図２】介護用手指機能改善具Ａの実施図
【図３】介護用手指機能改善具Ｂ
【図４】介護用手指機能改善具Ｂの実施図
【図５】介護用手指機能改善具Ｃ
【図６】介護用手指機能改善具Ｃの実施図
【図７】介護用手指機能改善具Ｄ
【図８】介護用手指機能改善具Ｄの実施図
【図９】介護用手指機能改善具Ｄの他の実施図
【考案を実施するための形態】
【０００９】  介護者又は高齢者が、リハビリ又はボケ防止に役立つ機能を備え、安価に購入でき、常時持ち運びできる介護用手指機能改善具で、本体は柔らかく、弾力性のある手指機能改善具を５本の手指の指で挟みながら握り、又は開く動作を繰り返し、又、握りも強弱をつけて握る運動することにより手指の機能改善に役立つものです。
【産業上の利用可能性】
【００１０】  近年、高齢者が増加の傾向にあり、介護者、高齢者のぼけ、リハビリ等の必要性が高まる中、手軽に、どこでも出来る手指の握力運動具を利用する機会は高まる事と思う。
【符号の説明】
【００１１】１  本体
２  柔らかい毛又は布製
３  弾力性のある心材
４  ボール
５  介護用手指機能改善具Ａ
６  介護用手指機能改善具Ｂ
７  介護用手指機能改善具Ｃ
８  介護用手指機能改善具Ｄ
【図１】
0003175279.tif 000003
【図２】
0003175279.tif 000004
【図３】
0003175279.tif 000005
【図４】
0003175279.tif 000006
【図５】
0003175279.tif 000007
【図６】
0003175279.tif 000008
【図７】
0003175279.tif 000009
【図８】
0003175279.tif 000010
【図９】
0003175279.tif 000011
【手続補正書】
【提出日】平成23年9月30日(2011.9.30)
【手続補正１】
【補正対象書類名】実用新案登録請求の範囲
【補正対象項目名】全文
【補正方法】変更
【補正の内容】
【実用新案登録請求の範囲】
【請求項１】
図の棒状又は指の入る形状の本体１を設け、その表面は柔らかい素材の毛又は布製２を設けて覆い、本体１の内部心材３は弾力性のある素材で構成され、左右どちらの手でも本体１を握ることが可能であり、又、本体１の先端に赤色のボール４を設け指を挿入する目印とし、本体１を手で握った際に赤色のボール４が親指と人差し指の間になるようにし、他の指も同時に挿入できる構成にする、又、本体１全体を握ったときの手の形に合わせた曲線又は棒状にし、手で握ったり指先でつかんだりすることができ、つかんだ部分を押圧することができるように構成されたことを特徴とする介護用手指機能改善具。
【請求項２】
上記心材がポリエチレンゲル又はシリコンゴム、又は硬度４０ないし６０の樹脂又はゴムにて構成されていることを特徴とする請求項１記載の介護用手指機能改善具。
【請求項３】
手指のみならず足指にも使用できることを特徴とする請求項１又は２記載の介護用手指機能改善具。
【手続補正書】
【提出日】平成23年11月28日(2011.11.28)
【手続補正１】
【補正対象書類名】実用新案登録請求の範囲
【補正対象項目名】全文
【補正方法】変更
【補正の内容】
【実用新案登録請求の範囲】
【請求項１】
図の棒状の本体１を設け、その表面は柔らかい素材の毛又は布製２を設けて覆い、本体１の内部心材３は弾力性のある素材で構成され、左右どちらの手でも本体１を握ることが可能であり、又、本体１の先端に赤色のボール４を設け指を挿入する目印とし、本体１を手で握った際に赤色のボール４が親指と人差し指の間になるようにし、他の指も同時に挿入できる構成にする、又、本体１全体を握ったときの手の形に合わせた曲線又は棒状にし、手で握ったり指先でつかんだりすることができ、つかんだ部分を押圧することができるように構成されたことを特徴とする介護用手指機能改善具。
【請求項２】
上記心材がポリエチレンゲル又はシリコンゴム、又は硬度４０ないし６０の樹脂又はゴムにて構成されていることを特徴とする請求項１記載の介護用手指機能改善具。
【手続補正書】
【提出日】平成24年2月12日(2012.2.12)
【手続補正１】
【補正対象書類名】実用新案登録請求の範囲
【補正対象項目名】全文
【補正方法】変更
【補正の内容】
【実用新案登録請求の範囲】
【請求項１】
棒状の本体１を設け、その表面は柔らかい素材の毛又は布製２を設けて覆い、本体１の内部心材３は弾力性のある素材で構成され、左右どちらの手でも本体１を握ることが可能であり、又、本体１の先端の大きいボール又は赤色のボール４を設け、指を挿入する目印とし、本体１を手で握った際に大きいボール又赤色のボール４が親指と人差し指の間で握るような構造にしたことを特徴とする介護用手指機能改善具。
【請求項２】
上記心材はポリエチレンゲル又はシリコンゴム、又は硬度４０度ないし６０度の樹脂又はゴムにて構成されていることを特徴とする請求項１記載の介護用手指機能改善具
【請求項３】
本体１は各種形状で手指のみならず足指にも使用できる請求項１〜２いずれか１項に記載の介護用手指機能改善具。
【手続補正２】
【補正対象書類名】明細書
【補正対象項目名】００１１
【補正方法】変更
【補正の内容】
【００１１】１  本体２  柔らかい毛又は布製３  弾力性のある心材４  大きいボール又赤色のボール５  介護用手指機能改善具Ａ６  介護用手指機能改善具Ｂ７  介護用手指機能改善具Ｃ８  介護用手指機能改善具Ｄ